(57)【特許請求の範囲】
【請求項１】
建物内の床面に埋設される本体部分及びドレン配管部分を有するドレンホッパーの腐食の程度が進行しドレンホッパーが継続使用不可能な場合の再生処理方法であって、
拡管部付き筒形部材と切頭円錐面部材と円筒面部材とで構成される組立型塩ビ製ドレンホッパーを用意し、
既設のドレンホッパーの本体部分に浮き出た錆びを除去し、
既設ドレンホッパーの本体部分の下部に前記拡管部付き筒形部材を挿入し、
既設ドレンホッパーのドレン配管部分の上部と前記拡管部付き筒形部材を速硬化性の塩ビ用接着剤で接着固定し、
前記拡管部付き筒形部材の上に前記切頭円錐面部材を載置し両者を塩ビ用接着剤で接着固定し、
前記切頭円錐面部材の上に前記円筒面部材を載置し両者を塩ビ用接着剤で接着固定し、
コンクリートとの隙間を塩ビ用接着剤でシールしてコンクリート内にドレンホッパーを形成させることを特徴とするドレンホッパーの再生処理方法。
【発明の詳細な説明】
【技術分野】
【０００１】
本発明は、事務所ビルやマンション等の空調機等に隣接して床面に埋設されるドレンホッパーの再生処理方法に関する。空調機のドレンを排出するために、コンクリートの床面に隣接して耐腐食性材料製（亜鉛メッキ鋼板製など）のドレンホッパー（添付図面の図１１Ａが丸形のドレンホッパー３０・添付図面１１Ｂが角形のドレンホッパー３０）が設けられるのが一般的である。しかしながら、耐腐食性の材料であっても長期間の使用により腐食が進行し、そこからコンクリート内部に漏水を生じるようになるため、ドレンホッパーを再生処理するメンテナンスが必要となる。
【背景技術】
【０００２】
従来の再生処理方法では、腐食したドレンホッパー本体をコンクリート面から剥離させて完全に除去し、その後に新品の一体型ドレンホッパーを埋め込んで隙間を充填するのが一般的であった。実際、添付図面の図１２Ａ，Ｂに示すようなステンレス製の一体型部品が『集合排水受継手』という名称で市販されている。しかしながら、ドレンホッパーの内部には、図１１Ａ，Ｂに示すように、夾雑物排出用の配管とオーバーフロー用の配管などの複数の配管５０の下端部が突き出しているため、それらの配管を全部外してから作業しなければならず、ドレンホッパーを再生処理した後で老朽化した配管を元通りに復旧させる作業は容易ではなく、部品のコストに加えて再生処理作業に多くの時間と手間を要するという欠点があった。さらに、市販品は規格化されているため、コンクリートの穴に新規の部品を挿入したとしても隙間を完全に埋めることができず、隙間からコンクリートの内部に漏水するという問題点があった。
【０００３】
本発明のようなドレンホッパーの再生処理についての特許文献は見当たらないが、空調設備の下端にドレンが設けられている例として下記の公報がある。
【特許文献１】特開平１１−１３１５４３「給水管内部洗浄装置およびその運転方法」では、高置水槽から階下まで延伸する立主管の下端にドレンが設けられている。
【発明の開示】
【発明が解決しようとする課題】
【０００４】
本発明の主たる目的は、腐食したドレンホッパーを再生処理する作業を、配管の取り外しをできるだけ少なくして短時間で完了し、隙間から漏水を生じることがないような再生処理方法を提供することにある。
本発明の他の目的は、ドレンホッパーの腐食の程度に応じて、腐食が軽微な場合と進行している場合とでそれぞれ最適な処理方法を提供することにある。
【課題を解決するための手段】
【０００５】
前述した課題を解決するため、本発明はその第１の態様において、建物内の床面に埋設されるドレンホッパー本体の腐食の程度が軽微でドレンホッパー本体が継続使用可能な場合の再生処理方法であって、既設のドレンホッパー本体に付着した腐食部分を剥離させて除去し、欠落部分には補強材料を充填し、ドレンホッパー本体内部の表面の全面にわたって無溶剤型エポキシ樹脂からなる硬化型防水塗膜を被覆し、この硬化型防水塗膜で既設のドレンホッパー本体内部にインナーケーシングを形成させることを特徴とするドレンホッパーの再生処理方法を提供する。
【発明の効果】
【０００６】
従来はドレンホッパーの腐食の程度が比較的軽微な場合でも、ドレンホッパー本体を完全に除去してから新品と交換していたが、上記の方法を用いれば、腐食の程度が比較的軽微な場合には、ドレンホッパー本体に付着した腐食部分を剥離させて除去し、欠落部分には補強材料を充填し、ドレンホッパー本体内部の表面の全面にわたって無溶剤型エポキシ樹脂（例えば、アルプス化学産業製アルボンＰ−８００相当品など）からなる硬化型防水塗膜を被覆する。この硬化型防水塗膜で既設のドレンホッパー本体内部にインナーケーシングを形成させることにより、ドレンホッパーを再生させることができる。この場合、配管の取り外しは全く必要としないか、最小限度で済むことになり、作業性が向上し、新規部品の交換コストも削減できるという利点が得られる。
【０００７】
従来使われていた一般のエポキシ樹脂は臭気があり、引火性で流動性があるなど、現場での作業が困難であった。また、変成ウレタン樹脂も使用されているが、変成ウレタン樹脂は速硬化性のため表面の仕上げが難しいなどの欠点があった。本発明では、無溶剤型エポキシ樹脂からなる硬化型防水塗膜を利用することにより、臭気・引火性・流動性の問題などを解決することができて、作業性を著しく向上させることができる。また、無溶剤型エポキシ樹脂からなる硬化型防水塗膜は表面が滑らかで、耐振動性・耐水性など耐久性に優れている。
【０００８】
さらに本発明はその第２の態様において、建物内の床面に埋設される本体部分及びドレン配管部分を有するドレンホッパーの腐食の程度が進行しドレンホッパーが継続使用不可能な場合の再生処理方法であって、拡管部付き筒形部材と切頭円錐面部材と円筒面部材とで構成される組立型塩ビ製ドレンホッパーを用意し、既設のドレンホッパーの本体部分に浮き出た錆びを除去し、既設ドレンホッパーの本体部分の下部に前記拡管部付き筒形部材を挿入し、既設ドレンホッパーのドレン配管部分の上部と前記拡管部付き筒形部材を速硬化性の塩ビ用接着剤で接着固定し、前記拡管部付き筒形部材の上に前記切頭円錐面部材を載置し両者を塩ビ用接着剤で接着固定し、前記切頭円錐面部材の上に前記円筒面部材を載置し両者を塩ビ用接着剤で接着固定し、コンクリートとの隙間を塩ビ用接着剤でシールしてコンクリート内にドレンホッパーを形成させることを特徴とするドレンホッパーの再生処理方法を提供する。
【０００９】
ドレンホッパー本体の腐食の程度が進行しドレンホッパー本体が継続使用不可能な場合には、従来の方法と同様にドレンホッパー本体を新品と交換しなければならないが、前述したように、従来の方法では配管の取り外しが多くなり、コンクリートの穴との間に隙間を生じて漏水を生じるおそれがあった。本発明の第２の態様では、一体型のドレンホッパー本体を用いる代わりに、拡管部付き筒形部材と切頭円錐面部材と円筒面部材との３ピースで構成される組立型塩ビ製ドレンホッパーを用意する。これら３ピースをコンクリートの穴の中に１個ずつ挿入しながら接着剤で固定することにより、隙間を完全にシールした状態で新たなドレンホッパーを設置することが可能になる。また、３ピースに分割したことにより、配管をよけながら１個ずつ設置していくことが可能になり、配管の取り外し・取り付け作業を最小限度に抑えることが可能になるという利点が得られる。
【００１０】
以下、添付図面の実施態様を参照しながら、本発明によるドレンホッパーの再生処理方法の詳細な手順についてさらに説明する。
【発明を実施するための最良の形態】
【００１１】
図１〜図９はドレンホッパー本体の腐食の程度が進行しドレンホッパー本体が継続使用不可能な場合の再生処理方法を表している。図１０はドレンホッパー本体の腐食の程度が軽微でドレンホッパー本体が継続使用可能な場合の再生処理方法を表している。
【００１２】
図１に示すように、上端に拡管部１１ａが付いた筒形部材１１と切頭円錐面部材１２と円筒面部材１３とで構成される３ピースタイプの組立型塩ビ製ドレンホッパーを用意する。最上部の円筒面部材１３には内部に溜まった水を逃すための切り欠き（スリット）１３ａが形成されている。それぞれを構成する材料は塩ビ（塩化ビニル）が好適であるが、ステンレス製とすることもできる。さらにゴミ取り用の目皿１４を用意しておく。図２には各部材１１，１２，１３の好適なサイズの例を示している。
【００１３】
図３において、まず既設のドレンホッパー本体３０に浮き出た錆びを除去する。次に、コンクリート中にある既設ドレン配管の上端３２に接着剤４０、例えば速硬化性変成ウレタン樹脂（商品名：日本ヘルメチィックス社製ＨＴ−Ｂｏｎｄ  Ｍｉｒａｃｌｅ５，あるいはコニシ製ボンドＳＵ２００相当品など）を付着させ、さらに拡管部付き筒形部材１１の側面にも同じ接着剤４０を付着させ、図４に示すように、既設ホッパー下部に拡管部付き筒形部材１１の円筒側を挿入し、既設ドレン配管の上端３２に拡管部付き筒形部材１１を接着固定する。隙間があれば接着剤でシールする。
【００１４】
次に、図４に示すように拡管部付き筒形部材１１の拡管部１１ａ上に接着剤４０を塗布し、図５に示すように切頭円錐面部材１２の底面にも接着剤４０を塗布してから、図６に示すように切頭円錐面部材１２を拡管部１１ａ上に載置し、両者を接着剤で接着固定する。さらに、図７に示すように周囲のコンクリートとの間の隙間を接着剤でシールする。
【００１５】
次に、図８に示すように、切頭円錐面部材１２の上に円筒面部材１３を載置し両者を塩ビ用接着剤で接着固定し、隙間を接着剤でシールする。最後に、図９に示すように、拡管部付き筒形部材１１の拡管部１１ａ上に目皿１４を載置して、ドレンホッパー１０の再生処理作業が完了する。図１〜９の例では、既設の配管５０を取り外す必要がなく、従来の作業と比べて著しく能率が向上した。実際の現場では従来１個所につき１時間程度要していた作業が３０分程度にまで削減され、作業コストの低減を図ることができた。
【００１６】
図１０は、ドレンホッパー本体の腐食の程度が軽微で既設のドレンホッパー本体３０が継続使用可能な場合の再生処理方法の概略を表しており、最初にドレンホッパー本体に付着した腐食部分を剥離させて除去し、ドレンホッパー本体内部の表面の全面にわたって硬化型防水塗膜２０（無溶剤型エポキシ樹脂）を被覆する。この硬化型防水塗膜２０で既設のドレンホッパー本体３０の内部にインナーケーシングを形成させることで、ドレンホッパーを再生処理する。なお、ピンホールの発生を防止するために、塗膜を二層にわたって被覆することもできる。
【００１７】
一般のエポキシ樹脂は臭気があり、引火性で流動性があるなど、現場での作業が困難であった。また、変成ウレタン樹脂も使用されているが、変成ウレタン樹脂は速硬化性のため表面の仕上げが難しいなどの欠点があった。
本発明では、無溶剤型エポキシ樹脂からなる硬化型防水塗膜を利用することにより、臭気・引火性・流動性の問題などを解決することができ、作業性を著しく向上させることができた。また、無溶剤型エポキシ樹脂からなる硬化型防水塗膜は、表面が滑らかで、耐振動性・耐水性など耐久性に優れている。さらに、配管の取り外しは全く必要としないか、最小限度で済むことになり、作業性が向上した。実際の現場では、添加剤を用いて硬化速度を調整することも可能であり、従来１個所につき１時間程度要していた作業が１５分程度にまで削減され、新規部品の交換コストも削減できるという利点が得られた。
【産業上の利用可能性】
【００１８】
以上、詳細に説明したように、本発明によれば、配管の取り外しは全く必要としないか、最小限度で済むことになり、腐食したドレンホッパーを再生処理する作業の作業性が向上して短時間で完了し、隙間から漏水を生じることがないような再生処理方法が提供される。また、ドレンホッパーの腐食の程度に応じて、腐食が軽微な場合と進行している場合とでそれぞれ最適な処理方法が提供されるなど、その技術的効果にはきわめて顕著なものがある。
【図面の簡単な説明】
【００１９】
【図１】本発明による３ピース型のドレンホッパー部材を表す斜視図。
【図２】ドレンホッパー部材の好適な寸法を表す概略図。
【図３】ドレンホッパー再生作業を表す斜視図。
【図４】ドレンホッパー再生作業を表す斜視図。
【図５】ドレンホッパー再生作業を表す斜視図。
【図６】ドレンホッパー再生作業を表す斜視図。
【図７】ドレンホッパー再生作業を表す斜視図。
【図８】ドレンホッパー再生作業を表す斜視図。
【図９】ドレンホッパー再生作業を表す斜視図。
【図１０】ドレンホッパー再生作業を表す側断面図。
【図１１】既設のドレンホッパーの例を表す斜視図。
【図１２】市販品ドレンホッパーの例を表す斜視図と側面図。
【符号の説明】
【００２０】
１０  ドレンホッパー
１１  筒形部材
１１ａ  拡管部
１２  切頭円錐面部材
１３  円筒面部材
２０  硬化型防水塗膜
３０  既設のドレンホッパー本体
４０  接着剤
５０  配管
【図１】
0004402635.tif 000002
【図２】
0004402635.tif 000003
【図３】
0004402635.tif 000004
【図４】
0004402635.tif 000005
【図５】
0004402635.tif 000006
【図６】
0004402635.tif 000007
【図７】
0004402635.tif 000008
【図８】
0004402635.tif 000009
【図９】
0004402635.tif 000010
【図１０】
0004402635.tif 000011
【図１１】
0004402635.tif 000012
【図１２】
0004402635.tif 000013